(57)【特許請求の範囲】
【請求項１】
本体を含み、前記本体の中には包み空間が設置され、前記包み空間の右側壁には歯車空間が設置され、前記包み空間の底壁にはばね空間が設置され、前記包み空間及び前記ばね空間には一つの包み装置が設置され、前記包み装置はゴミを収集して包むことができ、前記包み装置は前記ばね空間の中にスライド可能に連結されたベースブロックを含み、前記ベースブロックと前記ばね空間の底壁との間には下押しばねが連結され、前記ベースブロックにはゴミ袋を置ける置き板が回転可能に連結され、前記置き板の中には第一歯車が固定的に設置され、前記ベースブロックの下側には第二電源が固定的に設置され、前記ばね空間の右側には前記第二電源に通電できるように連結されることで通電できる電源導電ブロックが固定的に設置され、前記歯車空間の底壁には歯車モーターが固定的に設置され、前記歯車モーターと前記電源導電ブロックとの間には歯車モーター線が連結され、前記歯車モーターの頂部には短軸が伝動可能に連結され、前記短軸には前記第一歯車と噛み合える第二歯車が固定的に設置され、前記包み空間の頂壁には吊り縄が四本固定的に設置され、前記吊り縄の下側には前記ゴミ袋を固定でき、かつ開いた状態に保持できるクリップが固定的に設置され、前記包み空間の頂壁には連通空間が設置され、前記連通空間の頂壁には粉砕空間が設置され、前記粉砕空間の左右両側壁にはスライド空間が連通し、前記スライド空間の左側には駆動空間が設置され、前記駆動空間の上部には横向き空間が左右方向に連通し、前記駆動空間の左側には下押し空間が設置され、前記下押し空間の左側壁には空き空間が設置され、前記下押し空間の下側には制御空間が設置され、前記制御空間と前記スライド空間との間にはスイッチ装置が設置され、前記スイッチ装置は前記本体の中に生ゴミを捨てるスイッチを制御でき、前記横向き空間の後側と前記粉砕空間の後側にはプーリ空間が設置され、前記横向き空間と前記プーリ空間との間には生ゴミを砕ける粉砕装置が設置され、前記包み空間の下側には押しロッド空間が設置され、前記押しロッド空間の左側壁には長ロッド空間が設置され、前記長ロッド空間中部の上側壁には位置ずれ空間が設置され、前記包み空間と前記位置ずれ空間との間には停止装置が設置され、前記停止装置は前記スイッチ装置の作動を停止でき、
前記スイッチ装置は前記下押し空間の中にスライド可能に装着された下押しブロックを含み、前記下押しブロックの下側には電源が固定的に設置され、前記下押しブロックの左側には前記空き空間とスライド可能に連結された足踏み板が固定的に設置され、前記制御空間の右側の上下側壁には電極軸が回転可能に連結され、前記電極軸には前記制御空間の上下側壁に回転可能に連結された回転ブロックが固定的に設置され、前記回転ブロックの両側には正負極が設置され、前記制御空間の左側の上下側壁には回転軸が回転可能に連結され、前記回転軸には駆動ブロックが固定的に設置され、前記駆動ブロックの右側が前記回転ブロックと歯車で噛み合い、前記駆動空間の底壁には駆動モーターが固定的に設置され、前記駆動モーターと前記回転ブロックとの間には電線が連結され、前記駆動モーターにはモーター軸が伝動可能に連結され、前記モーター軸の上側には第一傘歯車が固定的に設置され、前記スライド空間の中には開口ブロックがスライド可能に連結され、前記開口ブロックの中には生ゴミを通過させる開口が設置され、前記開口ブロックと前記スライド空間の右側壁との間には復帰ばねが連結され、前記開口ブロックの中には小空間が設置され、前記小空間の頂壁にはネジロッドが固定的に設置され、前記開口ブロックの中には傘歯車軸がネジ山により連結され、前記傘歯車軸には前記ネジロッドとネジ山により連結されたネジ山溝が固定的に形成され、前記傘歯車軸の左側には前記第一傘歯車と噛み合う第二傘歯車が固定的に設置され、
前記粉砕装置は前記モーター軸の中側に固定的に装着された第三歯車を含み、前記横向き空間の前後側壁には貫通軸が回転可能に連結され、前記貫通軸が後ろに延在して前記貫通軸の後側壁を貫通して前記プーリ空間の中に入り、かつ前記プーリ空間の前後側壁と回転可能に連結され、前記貫通軸の前側には前記第三歯車と噛み合うスクリューが固定的に設置され、前記粉砕空間の前後側壁には二本の粉砕軸が左右対称位置にかつ回転可能に連結され、各前記粉砕軸が後ろに延在して前記粉砕空間の後側壁を貫通して前記プーリ空間の中に入り、かつ前記プーリ空間の前後側壁と回転可能に連結され、各前記粉砕軸の前側には生ゴミを粉砕できる粉砕輪が固定的に設置され、二本の前記粉砕軸の後側には互いに噛み合う第四歯車が固定的に設置され、左側にある前記粉砕軸の後側と前記貫通軸の後側にはそれぞれ左右対称位置にあるプーリが固定的に設置され、二つの前記プーリがベルトにより連結され、
前記停止装置は前記押しロッド空間の中にスライド可能に連結された当接ブロックを含み、前記長ロッド空間の中には右側が前記当接ブロックの底側と当接する長ロッドがスライド可能に連結され、前記位置ずれ空間の中には底側が前記長ロッドの左側と当接する位置ずれブロックがスライド可能に連結され、前記位置ずれブロックの中には導電できるかつ切れることができる第二電線が固定的に設置され、
前記粉砕空間の左右側壁には固定ブロックが対称な位置にかつ固定的に設置され、
前記包み空間の左右側壁の中側と上側には細ロッドが対称な位置にかつ固定的に設置され、
前記包み空間の前側には開放空間が設置され、
前記吊り縄が弾性材料によって作られ、
前記駆動ブロックの右側と前記回転ブロックと噛み合った部分は扇状であり、前記駆動ブロックの左側は鉛直ロッドであり、
生ゴミを包む時、足で前記足踏み板を踏むことにより、前記下押しブロック、前記電源が駆動されて下方へスライドし、前記電源と前記回転ブロックとが連結されるようになり、前記制御空間にある前記正負極を介して前記駆動モーターに通電することで、前記モーター軸が駆動されて回転し、前記第一傘歯車、前記第二傘歯車が駆動されて回転し、前記傘歯車軸が駆動されて回転し、前記開口ブロックが駆動されて左方へスライドしてから前記粉砕空間と連結されたことで、前記粉砕空間に生ゴミを捨て、終わった後、足で前記駆動ブロックを前記本体の後側に近づくようにに移動させることで、前記回転ブロックが駆動されて回転し、前記正負極が方向を置き換え、前記足踏み板を踏むことで、前記駆動モーターが駆動されて逆方向に回転し、前記開口ブロックが駆動されて右方に移動し、こうして前記開口を閉じ、前記置き板に置かれた生ゴミが一定の重量に達した時、前記置き板が下方に移動し、前記当接ブロックを下方に押してスライドさせ、前記長ロッドを押し動かして左方にスライドさせ、前記位置ずれブロックを押し動かして上方に移動させ、前記第二電線が前記制御空間とが位置ずれることで、前記駆動モーターに電力を供給しなくなり、こうして前記ゴミ袋を交換するように注意することを特徴とする生ゴミの自動処理と包み装置。
【発明の詳細な説明】
【技術分野】
【０００１】
本願発明はゴミ処理分野に関し、具体的には生ゴミの自動処理と包み装置である。
【背景技術】
【０００２】
現在、社会の発展に伴い、ゴミ分別は日常生活に欠かせない課題になってくる。ゴミ分別で最も厄介な一部である生ゴミは、様々な種類や形があり、腐りやすく、蚊などの害虫が繁殖しやすく、臭いが発生しやすい特徴を有し、生活環境に深刻な影響を及ぼす。既存のゴミ箱はゴミ保管の問題を解決しかできなく、粉砕機能を備えたゴミ箱は粉砕されたゴミを下水道に流すため、下水道が塞がれるだけでなく、台所の下水道も漏れやすくなり、さらに都市の下水道が塞がれる恐れがある。従って、生ゴミを処理できる自動包み装置を開発する必要がある。
【先行技術文献】
【特許文献】
【０００３】
【特許文献１】中国特許出願公開第１０７２００１６０号明細書
【発明の概要】
【発明が解決しようとする課題】
【０００４】
本願発明は生ゴミの自動処理と包み装置を提供し、既存技術にある上記の欠点を解消することを目的とする。
【課題を解決するための手段】
【０００５】
上記の目的を実現するため、本発明は以下の技術プランを提供する：本願発明の生ゴミの自動処理と包み装置は、本体を含み、前記本体の中には包み空間が設置され、前記包み空間の右側壁には歯車空間が設置され、前記包み空間の底壁にはばね空間が設置され、前記包み空間及び前記ばね空間には一つの包み装置が設置され、前記包み装置はゴミを収集して包むことができ、前記包み装置は前記ばね空間の中にスライド可能に連結されたベースブロックを含み、前記ベースブロックと前記ばね空間の底壁との間には下押しばねが連結され、前記ベースブロックにはゴミ袋を置ける置き板が回転可能に連結され、前記置き板の中には第一歯車が固定的に設置され、前記ベースブロックの下側には第二電源が固定的に設置され、前記ばね空間の右側には前記第二電源に通電できるように連結されることで通電できる電源導電ブロックが固定的に設置され、前記歯車空間の底壁には歯車モーターが固定的に設置され、前記歯車モーターと前記電源導電ブロックとの間には歯車モーター線が連結され、前記歯車モーターの頂部には短軸が伝動可能に連結され、前記短軸には前記第一歯車と噛み合える第二歯車が固定的に設置され、前記包み空間の頂壁には吊り縄が四本固定的に設置され、前記吊り縄の下側には前記ゴミ袋を固定でき、かつ開いた状態に保持できるクリップが固定的に設置され、前記包み空間の頂壁には連通空間が設置され、前記連通空間の頂壁には粉砕空間が設置され、前記粉砕空間の左右両側壁にはスライド空間が連通し、前記スライド空間の左側には駆動空間が設置され、前記駆動空間の上部には横向き空間が左右方向に連通し、前記駆動空間の左側には下押し空間が設置され、前記下押し空間の左側壁には空き空間が設置され、前記下押し空間の下側には制御空間が設置され、前記制御空間と前記スライド空間との間にはスイッチ装置が設置され、前記スイッチ装置は前記本体の中に生ゴミを捨てるスイッチを制御でき、前記横向き空間の後側と前記粉砕空間の後側にはプーリ空間が設置され、前記横向き空間と前記プーリ空間との間には生ゴミを砕ける粉砕装置が設置され、前記包み空間の下側には押しロッド空間が設置され、前記押しロッド空間の左側壁には長ロッド空間が設置され、前記長ロッド空間中部の上側壁には位置ずれ空間が設置され、前記包み空間と前記位置ずれ空間との間には停止装置が設置され、前記停止装置は前記スイッチ装置の作動を停止できる。
【０００６】
前記スイッチ装置は前記下押し空間の中にスライド可能に装着された下押しブロックを含み、前記下押しブロックの下側には電源が固定的に設置され、前記下押しブロックの左側には前記空き空間とスライド可能に連結された足踏み板が固定的に設置され、前記制御空間の右側の上下側壁には電極軸が回転可能に連結され、前記電極軸には前記制御空間の上下側壁に回転可能に連結された回転ブロックが固定的に設置され、前記回転ブロックの両側には正負極が設置され、前記制御空間の左側の上下側壁には回転軸が回転可能に連結され、前記回転軸には駆動ブロックが固定的に設置され、前記駆動ブロックの右側が前記回転ブロックと歯車で噛み合い、前記駆動空間の底壁には駆動モーターが固定的に設置され、前記駆動モーターと前記回転ブロックとの間には電線が連結され、前記駆動モーターにはモーター軸が伝動可能に連結され、前記モーター軸の上側には第一傘歯車が固定的に設置され、前記スライド空間の中には開口ブロックがスライド可能に連結され、前記開口ブロックの中には生ゴミを通過させる開口が設置され、前記開口ブロックと前記スライド空間の右側壁との間には復帰ばねが連結され、前記開口ブロックの中には小空間が設置され、前記小空間の頂壁にはネジロッドが固定的に設置され、前記開口ブロックの中には傘歯車軸がネジ山により連結され、前記傘歯車軸には前記ネジロッドとネジ山により連結されたネジ山溝が固定的に形成され、前記傘歯車軸の左側には前記第一傘歯車と噛み合う第二傘歯車が固定的に設置されている。
【０００７】
前記粉砕装置は前記モーター軸の中側に固定的に装着された第三歯車を含み、前記横向き空間の前後側壁には貫通軸が回転可能に連結され、前記貫通軸が後ろに延在して前記貫通軸の後側壁を貫通して前記プーリ空間の中に入り、かつ前記プーリ空間の前後側壁と回転可能に連結され、前記貫通軸の前側には前記第三歯車と噛み合うスクリューが固定的に設置され、前記粉砕空間の前後側壁には二本の粉砕軸が左右対称位置にかつ回転可能に連結され、各前記粉砕軸が後ろに延在して前記粉砕空間の後側壁を貫通して前記プーリ空間の中に入り、かつ前記プーリ空間の前後側壁と回転可能に連結され、各前記粉砕軸の前側には生ゴミを粉砕できる粉砕輪が固定的に設置され、二本の前記粉砕軸の後側には互いに噛み合う第四歯車が固定的に設置され、左側にある前記粉砕軸の後側と前記貫通軸の後側にはそれぞれ左右対称位置にあるプーリが固定的に設置され、二つの前記プーリがベルトにより連結されている。
【０００８】
前記停止装置は前記押しロッド空間の中にスライド可能に連結された当接ブロックを含み、前記長ロッド空間の中には右側が前記当接ブロックの底側と当接する長ロッドがスライド可能に連結され、前記位置ずれ空間の中には底側が前記長ロッドの左側と当接する位置ずれブロックがスライド可能に連結され、前記位置ずれブロックの中には導電できるかつ切れることができる第二電線が固定的に設置されている。
【０００９】
前記粉砕空間の左右側壁には固定ブロックが対称な位置にかつ固定的に設置されている。
【００１０】
前記包み空間の左右側壁の中側と上側には細ロッドが対称な位置にかつ固定的に設置されている。
【００１１】
前記包み空間の前側には開放空間が設置されている。
【００１２】
前記吊り縄が弾性材料によって作られる。
【００１３】
前記駆動ブロックの右側と前記回転ブロックと噛み合った部分は扇状であり、前記駆動ブロックの左側は鉛直ロッドである。
【発明の効果】
【００１４】
本願発明の有益な効果は：家庭の生ゴミを処理する時、多くの家庭は生ゴミを直接ゴミ箱に捨て、生ゴミは様々な種類や形があり、腐りやすくて蚊などの害虫が繁殖しやすく、臭いがあるため、生活環境に深刻な影響を及ぼし、従来のゴミ箱に対し、本願装置は粉砕装置によって生ゴミを粉砕してからゴミ袋に収集し、これは形が異なることでゴミ箱のスペースを占用する問題を解決でき、そして本願装置は足踏み式で接触導電を利用し、浪費を減らし、資源を節約し、本願装置は自動的な停止装置を設置することで、ゴミ袋を交換するように注意でき、また、従来のゴミ箱に対し、本願装置の内部で自動的に生ゴミを包むことができ、人々は腐った味を嗅いで生ゴミを収集する必要がなく、生活質を向上させることができ、普及する価値を有する。
【図面の簡単な説明】
【００１５】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の生ゴミの自動処理と包み装置全体全断面の正面構成概略図
【図２】図２は本願発明図１におけるＡ―Ａ方向の断面図
【図３】図３は本願発明図１の後側部分の断面図
【図４】図４は本願発明図１におけるＢの拡大図
【図５】図５は本願発明図４におけるＣ―Ｃ方向の断面図
【図６】図６は本願発明図１におけるクリップの拡大図
【発明を実施するための形態】
【００１７】
図１〜６を参照し、本願発明の生ゴミの自動処理と包み装置は、本体２０を含み、前記本体２０の中には包み空間４１が設置され、前記包み空間４１の右側壁には歯車空間４８が設置され、前記包み空間４１の底壁にはばね空間５６が設置され、前記包み空間４１及び前記ばね空間５６には一つの包み装置１０１が設置され、前記包み装置１０１はゴミを収集して包むことができ、前記包み装置１０１は前記ばね空間５６の中にスライド可能に連結されたベースブロック５３を含み、前記ベースブロック５３と前記ばね空間５６の底壁との間には下押しばね５７が連結され、前記ベースブロック５３にはゴミ袋４５を置ける置き板４７が回転可能に連結され、前記置き板４７の中には第一歯車４６が固定的に設置され、前記ベースブロック５３の下側には第二電源５４が固定的に設置され、前記ばね空間５６の右側には前記第二電源５４に通電できるように連結されることで通電できる電源導電ブロック５５が固定的に設置され、前記歯車空間４８の底壁には歯車モーター５１が固定的に設置され、前記歯車モーター５１と前記電源導電ブロック５５との間には歯車モーター線５２が連結され、前記歯車モーター５１の頂部には短軸５０が伝動可能に連結され、前記短軸５０には前記第一歯車４６と噛み合える第二歯車４９が固定的に設置され、前記包み空間４１の頂壁には吊り縄４２が四本固定的に設置され、前記吊り縄４２の下側には前記ゴミ袋４５を固定でき、かつ開いた状態に保持できるクリップ４３が固定的に設置され、前記包み空間４１の頂壁には連通空間９９が設置され、前記連通空間９９の頂壁には粉砕空間３６が設置され、前記粉砕空間３６の左右両側壁にはスライド空間３９が連通し、前記スライド空間３９の左側には駆動空間２１が設置され、前記駆動空間２１の上部には横向き空間２３が左右方向に連通し、前記駆動空間２１の左側には下押し空間６７が設置され、前記下押し空間６７の左側壁には空き空間８３が設置され、前記下押し空間６７の下側には制御空間８１が設置され、前記制御空間８１と前記スライド空間３９との間にはスイッチ装置１０２が設置され、前記スイッチ装置１０２は前記本体２０の中に生ゴミを捨てるスイッチを制御でき、前記横向き空間２３の後側と前記粉砕空間３６の後側にはプーリ空間６９が設置され、前記横向き空間２３と前記プーリ空間６９との間には生ゴミを砕ける粉砕装置１０３が設置され、前記包み空間４１の下側には押しロッド空間５９が設置され、前記押しロッド空間５９の左側壁には長ロッド空間８０が設置され、前記長ロッド空間８０中部の上側壁には位置ずれ空間７８が設置され、前記包み空間４１と前記位置ずれ空間７８との間には停止装置１０４が設置され、前記停止装置１０４は前記スイッチ装置１０１の作動を停止できる。
【００１８】
前記スイッチ装置１０２は前記下押し空間６７の中にスライド可能に装着された下押しブロック６５を含み、前記下押しブロック６５の下側には電源７５が固定的に設置され、前記下押しブロック６５の左側には前記空き空間８３とスライド可能に連結された足踏み板６４が固定的に設置され、前記制御空間８１の右側の上下側壁には電極軸７７が回転可能に連結され、前記電極軸７７には前記制御空間８１の上下側壁に回転可能に連結された回転ブロック７６が固定的に設置され、前記回転ブロック７６の両側には正負極８４が設置され、前記制御空間８１の左側の上下側壁には回転軸８２が回転可能に連結され、前記回転軸８２には駆動ブロック７４が固定的に設置され、前記駆動ブロック７４の右側が前記回転ブロック７６と歯車で噛み合い、前記駆動空間２１の底壁には駆動モーター８５が固定的に設置され、前記駆動モーター８５と前記回転ブロック７６との間には電線９７が連結され、前記駆動モーター８５にはモーター軸２２が伝動可能に連結され、前記モーター軸２２の上側には第一傘歯車２７が固定的に設置され、前記スライド空間３９の中には開口ブロック３０がスライド可能に連結され、前記開口ブロック３０の中には生ゴミを通過させる開口３８が設置され、前記開口ブロック３０と前記スライド空間３９の右側壁との間には復帰ばね４０が連結され、前記開口ブロック３０の中には小空間３２が設置され、前記小空間３２の頂壁にはネジロッド３１が固定的に設置され、前記開口ブロック３０の中には傘歯車軸２９がネジ山により連結され、前記傘歯車軸２９には前記ネジロッド３１とネジ山により連結されたネジ山溝３３が固定的に形成され、前記傘歯車軸２９の左側には前記第一傘歯車２７と噛み合う第二傘歯車２８が固定的に設置され、生ゴミを処理する時、足で前記足踏み板６４を踏むことにより、前記下押しブロック６５、前記電源７５が駆動されて下方へスライドし、前記電源７５と前記回転ブロック７６とが連結されるようになり、前記制御空間８１にある前記正負極８４を介して前記駆動モーター８５に通電することで、前記モーター軸２２が駆動されて回転し、前記第一傘歯車２７、前記第二傘歯車２８が駆動されて回転し、前記傘歯車軸２９が駆動されて回転し、前記開口ブロック３０が駆動されて左方へスライドしてから前記粉砕空間３６と連結されたことで、前記粉砕空間３６に生ゴミを捨て、終わった後、足で前記駆動ブロック７４を前記本体２０の後側に近づくように移動させることで、前記回転ブロック７６が駆動されて回転し、前記正負極８４が方向を置き換え、前記足踏み板６４を踏むことで、前記駆動モーター８５が駆動されて逆方向に回転し、前記開口ブロック３０が駆動されて右方に移動し、こうして前記開口３８を閉じる。
【００１９】
前記粉砕装置１０３は前記モーター軸２２の中側に固定的に装着された第三歯車２４を含み、前記横向き空間２３の前後側壁には貫通軸２５が回転可能に連結され、前記貫通軸２５が後ろに延在して前記貫通軸２５の後側壁を貫通して前記プーリ空間６９の中に入り、かつ前記プーリ空間６９の前後側壁と回転可能に連結され、前記貫通軸２５の前側には前記第三歯車２４と噛み合うスクリュー２６が固定的に設置され、前記粉砕空間３６の前後側壁には二本の粉砕軸３７が左右対称位置にかつ回転可能に連結され、各前記粉砕軸３７が後ろに延在して前記粉砕空間３６の後側壁を貫通して前記プーリ空間６９の中に入り、かつ前記プーリ空間６９の前後側壁と回転可能に連結され、各前記粉砕軸３７の前側には生ゴミを粉砕できる粉砕輪３５が固定的に設置され、二本の前記粉砕軸３７の後側には互いに噛み合う第四歯車７３が固定的に設置され、左側にある前記粉砕軸３７の後側と前記貫通軸２５の後側にはそれぞれ左右対称位置にあるプーリ７０が固定的に設置され、二つの前記プーリ７０がベルト７２により連結され、
前記駆動モーター８５は前記モーター軸２２を駆動して回転させ、前記第三歯車２４を駆動して回転させ、前記スクリュー２６を駆動して回転させ、前記貫通軸２５を駆動して回転させ、前記プーリ７０を駆動して回転させ、前記第四歯車７３を駆動して回転させ、前記粉砕軸３７を駆動して回転させ、こうして生ゴミを粉砕する。
【００２０】
前記停止装置１０４は前記押しロッド空間５９の中にスライド可能に連結された当接ブロック５８を含み、前記長ロッド空間８０の中には右側が前記当接ブロック５８の底側と当接する長ロッド６０がスライド可能に連結され、前記位置ずれ空間７８の中には底側が前記長ロッド６０の左側と当接する位置ずれブロック７９がスライド可能に連結され、前記位置ずれブロック７９の中には導電できるかつ切れることができる第二電線９８が固定的に設置され、前記置き板４７に置かれた生ゴミが一定の重量に達した時、前記置き板４７が下方に移動し、前記当接ブロック５８を下方に押してスライドさせ、前記長ロッド６０を押し動かして左方にスライドさせ、前記位置ずれブロック７９を押し動かして上方に移動させ、前記第二電線９８が前記制御空間８１とが位置ずれることで、前記駆動モーター８５に電力を供給しなくなり、こうして前記ゴミ袋４５を交換するように注意する。
【００２１】
前記粉砕空間３６の左右側壁には固定ブロック３４が対称な位置にかつ固定的に設置され、生ゴミが前記粉砕空間３６の左右両側に落ちるために粉砕されないことを防止する。
【００２２】
前記包み空間４１の左右側壁の中側と上側には細ロッド４４が対称な位置にかつ固定的に設置され、前記置き板４７が回転することで前記ゴミ袋４５の口を閉じる時に、吊り縄４２が絡まることを防止する。
【００２３】
前記包み空間４１の前側には開放空間６８が設置され、前記開放空間６８を開けることで前記包み空間４１にあるゴミ袋４５を交換できる。
【００２４】
前記吊り縄４２が弾性材料によって作られ、口を閉じる時に前記吊り縄４２は下方に伸びることができる。
【００２５】
前記駆動ブロック７４の右側と前記回転ブロック７６と噛み合った部分は扇状であり、前記駆動ブロック７４の左側は鉛直ロッドである。
【００２６】
生ゴミを包む時、足で足踏み板６４を踏むことにより、下押しブロック６５、電源７５が駆動されて下方へスライドし、電源７５と回転ブロック７６とが連結されるようになり、制御空間８１にある正負極８４を介して前記駆動モーター８５に通電することで、モーター軸２２が駆動されて回転し、第一傘歯車２７、第二傘歯車２８が駆動されて回転し、傘歯車軸２９が駆動されて回転し、開口ブロック３０が駆動されて左方へスライドしてから粉砕空間３６と連結されたことで、粉砕空間３６に生ゴミを捨て、終わった後、足で駆動ブロック７４を本体２０の後側に近づくように移動させることで、回転ブロック７６が駆動されて回転し、正負極８４が方向を置き換え、足踏み板６４を踏むことで、駆動モーター８５が駆動されて逆方向に回転し、開口ブロック３０が駆動されて右方に移動し、こうして開口３８を閉じる。
【００２７】
駆動モーター８５はモーター軸２２を駆動して回転させ、第三歯車２４を駆動して回転させ、スクリュー２６を駆動して回転させ、貫通軸２５を駆動して回転させ、プーリ７０を駆動して回転させ、第四歯車７３を駆動して回転させ、粉砕軸３７を駆動して回転させ、こうして生ゴミを粉砕でき、粉砕された生ゴミが連通空間９９を介してゴミ袋４５に入り、ゴミ袋４５にある生ゴミが一定の量まで堆積した後、置き板４７が下方にスライドすることにより、ベースブロック５３が駆動されて下方にスライドし、第二電源５４が電源導電ブロック５５と通電できるように連結され、第一歯車４６が第二歯車４９と噛み合い、歯車モーター５１が作動することで、短軸５０、第二歯車４９を駆動して回転させ、置き板４７を駆動して回転させ、ゴミ袋４５の口を閉じ、置き板４７が下方にスライドすると同時に、当接ブロック５８を下方に押してスライドさせ、長ロッド６０を押し動かして左方にスライドさせ、位置ずれブロック７９を押し動かして上方に移動させ、第二電線９８が制御空間８１とが位置ずれることで、駆動モーター８５に電力を供給しなくなり、こうしてゴミ袋４５を交換するように注意する。
【００２８】
本願発明の有益な効果は：家庭の生ゴミを処理する時、多くの家庭は生ゴミを直接ゴミ箱に捨て、生ゴミは様々な種類や形があり、腐りやすくて蚊などの害虫が繁殖しやすく、臭いがあるため、生活環境に深刻な影響を及ぼし、従来のゴミ箱に対し、本願装置は粉砕装置によって生ゴミを粉砕してからゴミ袋に収集し、これは形が異なることでゴミ箱のスペースを占用する問題を解決でき、そして本願装置は足踏み式で接触導電を利用し、浪費を減らし、資源を節約し、本願装置は自動的な停止装置を設置することで、ゴミ袋を交換するように注意でき、また、従来のゴミ箱に対し、本願装置の内部で自動的に生ゴミを包むことができ、人々は腐った味を嗅いで生ゴミを収集する必要がなく、生活質を向上させることができ、普及する価値を有する。
【００２９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【要約】
【課題】本願発明は生ゴミの自動処理と包み装置を開示した。
【解決手段】
本体を含み、前記本体の中には包み空間が設置され、前記横向き空間の後側と前記粉砕空間の後側にはプーリ空間が設置され、前記包み空間の下側には押しロッド空間が設置され前記第三歯車を駆動して回転させ、前記スクリューを駆動して回転させ、前記貫通軸を駆動して回転させ、前記プーリを駆動して回転させ、前記第四歯車を駆動して回転させ、前記粉砕軸を駆動して回転させ、本願装置は自動的な停止装置を設置することで、ゴミ袋を交換するように注意でき、また、従来のゴミ箱に対し、本願装置の内部で自動的に生ゴミを包むことができ、人々は腐った味を嗅いで生ゴミを収集する必要がなく、生活質を向上させることができる。
【選択図】図１【図１】
0006841992.tif 000002
【図２】
0006841992.tif 000003
【図３】
0006841992.tif 000004
【図４】
0006841992.tif 000005
【図５】
0006841992.tif 000006
【図６】
0006841992.tif 000007